(57)【要約】【課題】１つのキーに複数の文字や記号が割り当てられていても、入力された文字や記号を隠蔽して表示する。【解決手段】パスワード入力欄にリモコン操作キー１７から文字が入力される。入力されたキーがクリアキーであると判断されると、カーソル位置の文字や記号、またはカーソル位置の１つ前の文字や記号が削除される。入力されたキーが、前回に入力された文字キーと異なる文字キー、または前回に入力されたキーと異なる確定キーであると判断されると、カーソル位置に「＊」が表示される。入力されたキーが前回に入力された文字キーと同じ文字キーであると判断されると、入力されたキーに基づいて対応する文字や記号が表示される。入力されたキーが前回に入力された確定キーと同じ確定キー、またはカーソル位置に文字や記号がないときに入力された確定キーであると判断されると、パスワード入力欄にパスワードの入力が終了したと判断する。【選択図】    図６
2004326525.tif 000002
【特許請求の範囲】
【請求項１】
所望の文字または記号を入力する入力装置において、
複数の文字または記号が割り当てられ、所望の文字または記号を選択するための選択操作部と、上記選択操作部により選択された文字または記号を確定する確定操作部とからなる文字入力部と、
上記選択操作部によって選択された文字または記号を表示部に表示するための制御部とを備え、
上記制御部は、上記確定操作部が操作されると、上記表示部に表示されている文字または記号を隠蔽するようにしたことを特徴とする入力装置。
【請求項２】
上記文字入力部は、
被制御機器を遠隔操作するためのリモートコントローラに設けられていることを特徴とする請求項１に記載の入力装置。
【請求項３】
上記リモートコントローラから入力された上記選択操作部に対応する文字または記号は、上記被制御機器に設けられた表示部または上記被制御機器と接続された表示部に表示され、
上記確定操作部が操作されると、上記被制御機器に設けられた表示部または上記被制御機器と接続された表示部に表示されている文字または記号を隠蔽するようにしたことを特徴とする請求項２に記載の入力装置。
【請求項４】
上記リモートコントローラから入力された上記選択操作部に対応する文字または記号は、上記リモートコントローラに設けられた表示部に表示され、
上記確定操作部が操作されると、上記リモートコントローラに設けられた表示部に表示されている文字または記号を隠蔽し、
所望の文字または記号が全て確定されると、上記リモートコントローラから上記被制御機器へ上記確定された全ての文字または記号を送信し、上記送信された全ての文字または記号が上記被制御機器に設けられた表示部または上記被制御機器と接続された表示部に隠蔽されて表示されるようにしたことを特徴とする請求項２に記載の入力装置。
【請求項５】
上記表示部には、文字または記号の入力位置を示すカーソルが表示され、上記選択操作部または上記確定操作部が操作されると、上記カーソルが一方向へ移動され、
上記一方向とは逆の方向に上記カーソルを移動させて、上記隠蔽された文字または記号の位置とすると、上記隠蔽された文字または記号を表示するようにしたことを特徴とする請求項１に記載の入力装置。
【請求項６】
所望の文字または記号を入力する入力方法において、
複数の文字または記号が割り当てられた選択操作部により、所望の文字または記号を選択し、
上記選択された文字または記号を表示部に表示し、
上記選択された文字または記号を確定操作部により確定し、
上記確定操作部が操作されると、上記表示部に表示されている文字または記号を隠蔽する
ようにしたことを特徴とする入力方法。
【請求項７】
上記文字入力部は、
被制御機器を遠隔操作するためのリモートコントローラに設けられていることを特徴とする請求項６に記載の入力方法。
【請求項８】
上記リモートコントローラから入力された上記選択操作部に対応する文字または記号は、上記被制御機器に設けられた表示部または上記被制御機器と接続された表示部に表示され、
上記確定操作部が操作されると、上記被制御機器に設けられた表示部または上記被制御機器と接続された表示部に表示されている文字または記号を隠蔽するようにしたことを特徴とする請求項７に記載の入力方法。
【請求項９】
上記リモートコントローラから入力された上記選択操作部に対応する文字または記号は、上記リモートコントローラに設けられた表示部に表示され、
上記確定操作部が操作されると、上記リモートコントローラに設けられた表示部に表示されている文字または記号を隠蔽し、
所望の文字または記号が全て確定されると、上記リモートコントローラから上記被制御機器へ上記確定された全ての文字または記号を送信し、上記送信された全ての文字または記号が上記被制御機器に設けられた表示部または上記被制御機器と接続された表示部に隠蔽されて表示されるようにしたことを特徴とする請求項７に記載の入力方法。
【請求項１０】
上記表示部には、文字または記号の入力位置を示すカーソルが表示され、上記選択操作部または上記確定操作部が操作されると、上記カーソルが一方向へ移動され、
上記一方向とは逆の方向に上記カーソルを移動させて、上記隠蔽された文字または記号の位置とすると、上記隠蔽された文字または記号を表示するようにしたことを特徴とする請求項６に記載の入力方法。
【請求項１１】
所望の文字または記号を入力するプログラムにおいて、
複数の文字または記号が割り当てられた選択操作部により、所望の文字または記号を選択し、
上記選択された文字または記号を表示部に表示し、
上記選択された文字または記号を確定操作部により確定し、
上記確定操作部が操作されると、上記表示部に表示されている文字または記号を隠蔽する
ようにコンピュータを実行させることを特徴とするプログラム。
【請求項１２】
上記文字入力部は、
被制御機器を遠隔操作するためのリモートコントローラに設けられ、上記所望の文字または記号を入力するようにコンピュータを実行させることを特徴とする請求項１１に記載のプログラム。
【請求項１３】
上記リモートコントローラから入力された上記選択操作部に対応する文字または記号は、上記被制御機器に設けられた表示部または上記被制御機器と接続された表示部に表示され、
上記確定操作部が操作されると、上記被制御機器に設けられた表示部または上記被制御機器と接続された表示部に表示されている文字または記号を隠蔽するようにコンピュータを実行させることを特徴とする請求項１２に記載のプログラム。
【請求項１４】
上記リモートコントローラから入力された上記選択操作部に対応する文字または記号は、上記リモートコントローラに設けられた表示部に表示され、
上記確定操作部が操作されると、上記リモートコントローラに設けられた表示部に表示されている文字または記号を隠蔽し、
所望の文字または記号が全て確定されると、上記リモートコントローラから上記被制御機器へ上記確定された全ての文字または記号を送信し、上記送信された全ての文字または記号が上記被制御機器に設けられた表示部または上記被制御機器と接続された表示部に隠蔽されて表示されるようにコンピュータを実行させることを特徴とする請求項１２に記載のプログラム。
【請求項１５】
上記表示部には、文字または記号の入力位置を示すカーソルが表示され、上記選択操作部または上記確定操作部が操作されると、上記カーソルが一方向へ移動され、
上記一方向とは逆の方向に上記カーソルを移動させて、上記隠蔽された文字または記号の位置とすると、上記隠蔽された文字または記号を表示するようにコンピュータを実行させることを特徴とする請求項１１に記載のプログラム。
【請求項１６】
所望の文字または記号を入力するプログラムが記録された記録媒体において、
複数の文字または記号が割り当てられた選択操作部により、所望の文字または記号を選択し、
上記選択された文字または記号を表示部に表示し、
上記選択された文字または記号を確定操作部により確定し、
上記確定操作部が操作されると、上記表示部に表示されている文字または記号を隠蔽する
ようにコンピュータを実行させるプログラムが記録されたことを特徴とする記録媒体。
【請求項１７】
上記文字入力部は、
被制御機器を遠隔操作するためのリモートコントローラに設けられ、上記所望の文字または記号を入力するようにコンピュータを実行させるプログラムが記録されたことを特徴とする請求項１６に記載の記録媒体。
【請求項１８】
上記リモートコントローラから入力された上記選択操作部に対応する文字または記号は、上記被制御機器に設けられた表示部または上記被制御機器と接続された表示部に表示され、
上記確定操作部が操作されると、上記被制御機器に設けられた表示部または上記被制御機器と接続された表示部に表示されている文字または記号を隠蔽するようにコンピュータを実行させるプログラムが記録されたことを特徴とする請求項１７に記載の記録媒体。
【請求項１９】
上記リモートコントローラから入力された上記選択操作部に対応する文字または記号は、上記リモートコントローラに設けられた表示部に表示され、
上記確定操作部が操作されると、上記リモートコントローラに設けられた表示部に表示されている文字または記号を隠蔽し、
所望の文字または記号が全て確定されると、上記リモートコントローラから上記被制御機器へ上記確定された全ての文字または記号を送信し、上記送信された全ての文字または記号が上記被制御機器に設けられた表示部または上記被制御機器と接続された表示部に隠蔽されて表示されるようにコンピュータを実行させるプログラムが記録されたことを特徴とする請求項１７に記載の記録媒体。
【請求項２０】
上記表示部には、文字または記号の入力位置を示すカーソルが表示され、上記選択操作部または上記確定操作部が操作されると、上記カーソルが一方向へ移動され、
上記一方向とは逆の方向に上記カーソルを移動させて、上記隠蔽された文字または記号の位置とすると、上記隠蔽された文字または記号を表示するようにコンピュータを実行させるプログラムが記録されたことを特徴とする請求項１６に記載の記録媒体。
【発明の詳細な説明】
【０００１】
【発明の属する技術分野】
この発明は、１つのキーに複数の文字または記号が割り当てられいる電子機器において、入力した文字または記号を隠蔽するときに適用される入力装置、入力方法、プログラム、および記録媒体に関する。
【０００２】
【従来の技術】
現在、パーソナルコンピュータに接続されているキーボードには、１つのキーに１つの文字または記号が割り当てられている。ユーザは、このキーボードを操作することによって、パーソナルコンピュータにインストールされているアプリケーションプログラム（以下、「Ａｐｐ」と称する）を自由に使用することができる。
【０００３】
Ａｐｐを使用するときに、該Ａｐｐを使用する権限の有無や、メールの送受信などにユーザＩＤと共にパスワードを入力する場合がある。例えば、図１０に示すように、ユーザＩＤは、キーボードから入力した文字または記号がユーザ入力欄５１に表示されるが、パスワードは、その性質上キーボードから入力した文字または記号が隠蔽される。一例として、パスワード入力欄５２には、入力した文字または記号の代わりに「＊」が表示される。
【０００４】
このとき、図１１に示すように、まず、キーボードから「Ｍ」が入力されると、パスワード入力欄５２に「＊」が表示され、キーボードから「Ｏ」を入力すると、パスワード入力欄５２に「＊＊」が表示される。続いて、キーボードから「Ｓ」を入力すると、パスワード入力欄５２に「＊＊＊」が表示され、キーボードから「Ｔ」を入力すると、パスワード入力欄５２に「＊＊＊＊」が表示される。
【０００５】
なお、文章を編集するワードプロセッサなどの文書編集装置において、文書中の任意の部分を不可視状態に自由に設定でき、特定の者だけがこの不可視状態を解除できる分をの作成・編集が容易にできるようにしているものもある（例えば、特許文献１参照。）。
【０００６】
【特許文献１】
特開平５−１２８１１６号公報
【０００７】
このように、１つのキーに１つの文字または記号が割り当てられている場合や、一度表示した後に、不可視状態を設定する場合、隠蔽されていても入力したユーザには、その文字または記号を判断することができる。
【０００８】
【発明が解決しようとする課題】
しかしながら、１つのキーに複数の文字または記号が割り当てられている場合、まず第１のステップとして、ユーザは所望の文字または記号が割り当てられているキーを選択する。この第１のステップでは、キーが選択されることによって、全ての文字または記号の中から該キーに割り当てられている複数の文字または記号が選択される。そして、第２のステップとして、ユーザは選択した複数の文字または記号の中から所望の文字または記号を選択する。
【０００９】
このように、２つのステップを経ないと所望の文字または記号を選択することができない。従って、１つのキーに複数の文字または記号が割り当てられている場合、入力した文字または記号を隠蔽すると、所望の文字または記号が選択されているか否かの判断ができないときがある。
【００１０】
また、一般的に文字または記号を隠蔽するＡｐｐでは、そのユーザ固有の情報に関するものであるため、秘匿性を堅持することが重要なポイントになるが、文字または記号を隠蔽することができないと、秘匿性が損なわれてしまうという問題があった。
【００１１】
従って、この発明の目的は、１つのキーに複数の文字または記号が割り当てられていても、入力された文字または記号を隠蔽して表示することができる入力装置、入力方法、プログラム、および記録媒体を提供することにある。
【００１２】
【課題を解決するための手段】
上述した課題を達成するために請求項１の発明は、所望の文字または記号を入力する入力装置において、複数の文字または記号が割り当てられ、所望の文字または記号を選択するための選択操作部と、選択操作部により選択された文字または記号を確定する確定操作部とからなる文字入力部と、選択操作部によって入力された文字または記号を表示部に表示するための制御部とを備え、制御部は、確定操作部が操作されると、表示部に表示されている文字または記号を隠蔽するようにしたことを特徴とする入力装置である。
【００１３】
請求項６の発明は、所望の文字または記号を入力する入力方法において、複数の文字または記号が割り当てられた選択操作部により、所望の文字または記号を選択し、選択された文字または記号を表示部に表示し、選択された文字または記号を確定操作部により確定し、確定操作部が操作されると、表示部に表示されている文字または記号を隠蔽するようにしたことを特徴とする入力方法である。
【００１４】
請求項１１の発明は、所望の文字または記号を入力するプログラムにおいて、複数の文字または記号が割り当てられた選択操作部により、所望の文字または記号を選択し、選択された文字または記号を表示部に表示し、選択された文字または記号を確定操作部により確定し、確定操作部が操作されると、表示部に表示されている文字または記号を隠蔽するようにコンピュータを実行させることを特徴とするプログラムである。
【００１５】
請求項１６の発明は、所望の文字または記号を入力するプログラムが記録された記録媒体において、複数の文字または記号が割り当てられた選択操作部により、所望の文字または記号を選択し、選択された文字または記号を表示部に表示し、選択された文字または記号を確定操作部により確定し、確定操作部が操作されると、表示部に表示されている文字または記号を隠蔽するようにコンピュータを実行させるプログラムが記録されたことを特徴とする記録媒体である。
【００１６】
このように、１つのキーに複数の文字または記号が割り当てられていても、ユーザが入力した文字または記号を判断することができ、入力した文字または記号を隠蔽することができる。
【００１７】
【発明の実施の形態】
以下、この発明の一実施形態について図面を参照して説明する。図１は、この発明が適用された一実施形態の全体的構成を示す。参照符号１で示すコンテンツ記録再生装置は、様々なオーディオ信号および／またはビデオ信号を再生することができる。コンテンツ記録再生装置１には、少なくともディスプレイ用のモニタ２および５．１チャンネルのサラウンド再生用のスピーカ群３が接続される。
【００１８】
さらに、コンテンツ記録再生装置１には、ＡＭ（Ａｍｐｌｉｔｕｄｅ  Ｍｏｄｕｌａｔｉｏｎ）アンテナ４、ＦＭ（Ｆｒｅｑｕｅｎｃｙ  Ｍｏｄｕｌａｔｉｏｎ）アンテナ５、テレビアンテナ６、ＬＡＮ（Ｌｏｃａｌ  Ａｒｅａ  Ｎｅｔｗｏｒｋ）ケーブル７を介してＬＡＮ用ルータやハブなどのネットワーク接続機器８、およびＵＳＢ（Ｕｎｉｖｅｒｓａｌ  Ｓｅｒｉａｌ  Ｂｕｓ）ケーブル９を介してＭＤ（Ｍｉｎｉ  Ｄｉｓｃ）記録再生装置１０を接続することができる。また、コンテンツ記録再生装置１には、ハードディスクドライブ（以下、「ＨＤＤ」と称する）（図示なし）が内臓されている。
【００１９】
コンテンツ記録再生装置１には、ＤＶＤ（Ｄｉｇｉｔａｌ  Ｖｅｒｓａｔａｌ  Ｄｉｓｃ）／ＣＤ（Ｃｏｍｐａｃｔ  Ｄｉｓｃ）ドライブ１１、半導体メモリに対して書き込み／読み出しが可能なメモリドライブ１２、表示部１３、操作キー１４、および受光部１５が設けられている。
【００２０】
なお、リモートコントローラ（以下、「リモコン」と称する）１６によってコンテンツ記録再生装置１を遠隔操作することも可能である。このリモコン１６には、リモコン操作キー１７および赤外線発光部１８が設けられている。赤外線発光部１８から発光される制御信号１９は、コンテンツ記録再生装置１の受光部１５へ供給される。
【００２１】
このコンテンツ記録再生装置１では、映画用ＤＶＤおよび音楽用ＣＤを再生することができ、ＦＭラジオ／ＡＭラジオを受信することもできる。また、コンテンツ記録再生装置１は、５．１チャンネルのサラウンド再生に対応している。
【００２２】
コンテンツ記録再生装置１に内臓されたＨＤＤには、音楽用ＣＤの楽曲やＦＭラジオ／ＡＭラジオの番組を記録することができ、ジュークボックスとして再生することができる。また、該ＨＤＤには、テレビ番組を記録することができる。該ＨＤＤに記録可能なＦＭラジオ／ＡＭラジオの番組およびテレビ番組は、タイマ予約で録音および録画を行うことができる。
【００２３】
コンテンツ記録再生装置１では、ＭＤ記録再生装置１０に装填されたＭＤに対して録音／再生／編集を行うことができる。コンテンツ記録再生装置１では、メモリドライブ１２に装填された半導体メモリとＨＤＤとの間でデータ、例えばオーディオデータをやり取りすることができる。
【００２４】
コンテンツ記録再生装置１では、ＤＶＤ／ＣＤドライブ１１に装填されたＣＤ−Ｒ／ＲＷ（Ｃｏｍｐａｃｔ  Ｄｉｓｃ−Ｒｅｃｏｒｄａｂｌｅ  ／  ＲｅＷｒｉｔａｂｌｅ）や半導体メモリに記録された静止画をＨＤＤに記録することができる。コンテンツ記録再生装置１では、このようにＨＤＤに記録された静止画を、例えばスライドショーとしてモニタ２に表示させることができる。
【００２５】
なお、コンテンツ記録再生装置１は、例えば、ＩＳＤＮ（Ｉｎｔｅｇｒａｔｅｄ  Ｓｅｒｖｉｃｅ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ケーブルテレビ、ＦＴＴＨ（Ｆｉｂｅｒ  Ｔｏ  Ｔｈｅ  Ｈｏｍｅ）などの回線を介して、インターネットと接続可能である。そして、コンテンツ記録再生装置１には、インターネットに接続されているサーバに設けられているホームページなどを閲覧可能なブラウザ機能のＡｐｐが備わっている。また、コンテンツ記録再生装置１専用のホームページから様々な情報やサービスを受けることができる。
【００２６】
コンテンツ記録再生装置１には、メールクライアント用のＡｐｐが備わっている。従って、上述した回線を経由して電子メールの送受信および作成をすることができ、それらの電子メールは、ＨＤＤに記録される。
【００２７】
このとき、文字または記号の入力は、例えばリモコン操作キー１７から入力される。このリモコン１６の一例を図２を参照して説明する。領域２１には、コンテンツ記録再生装置１の電源操作とモニタ２の入力切替操作を行うためのキーが設けられている。領域２２には、文字変換キー、文字切換キー、クリアキーといった文字入力専用操作キーが設けられている。
【００２８】
領域２３には、ダイレクト選曲・番組選局、ダイレクトファンクション選択、数字・文字入力を行うためのキーが設けられている。この領域２３に設けられているキーを操作することによって、アルファベット／数字／ひらがなを選択し、入力することができる。以下、この実施形態では、この領域２３に設けられている複数のキーを文字選択キーと称する。
【００２９】
一例として、文字選択キーに割り当てられているアルファベットや記号を図３に示す。「１」キーには、「  ．＠  ／  ：  −  ＿  ￣  」が割り当てられる。「２」キーには、「ａｂｃＡＢＣ」が割り当てられる。「３」キーには、「ｄｅｆＤＥＦ」が割り当てられる。「４」キーには、「ｇｈｉＧＨＩ」が割り当てられる。
【００３０】
「５」キーには、「ｊｋｌＪＫＬ」が割り当てられる。「６」キーには、「ｍｎｏＭＮＯ」が割り当てられる。「７」キーには、「ｐｑｒｓＰＱＲＳ」が割り当てられる。「８」キーには、「ｔｕｖＴＵＶ」が割り当てられる。「９」キーには、「ｗｘｙｚＷＸＹＺ」が割り当てられる。「１０」キーには、半角のスペースが割り当てられる。「１１」キーには、「！？  −  ，  ；  （  ）  ”  ＆  ￥」が割り当てられる。「１２」キーには、改行が割り当てられる。
【００３１】
領域２４には、ファンクションメニューキー、ツールメニューキー、タイマメニューキー、設定メニューキーといった設定関連パラメータとタイマの設定画面への移行を行うためのキーが設けられている。参照符号２５は、キーを上下左右に動かして、現在の文字入力位置を示す、いわゆるカーソルを上下左右に移動させて項目を選択したり、キーを押し込んで選択した項目を決定したりする選択／決定を行うためのキーである。
【００３２】
領域２６には、コンテンツ記録再生装置１で構成されるシステム全体の音量設定を行うためのキーが設けられている。領域２７には、ＤＶＤ専用操作キーが設けられている。参照符号２８は、曲や画像リストを一覧表示させるためのキーである。参照符号２９は、各種操作をキャンセルするためのキーである。
【００３３】
領域３０には、オーディオ・ビデオの再生、停止、一時停止、スキップ、早送り、巻き戻しを行うためのキーが設けられている。領域３１には、サウンドフィールドキー、ワイド切換キーといった音声再生効果の切り替えを行うためのキーが設けられている。参照符号３２は、詳細情報へ表示を切り替えるためのキーである。参照符号３３は、一時的に音量を絞る（消音する）ためのキーである。領域３４には、ＨＤＤへの録音または録画の開始、一時停止、停止といった操作を行うためのキーが設けられている。
【００３４】
ここで、図４のフローチャートを参照して、リモコン１６を用いて入力するときに適用される文字または記号の確定処理および文字または記号の隠蔽処理の一例を説明する。ステップＳ１では、例えばパスワード入力欄のように文字または記号を隠蔽表示する入力欄にカーソルが表示され、文字選択キーが入力される。
【００３５】
ステップＳ２では、入力されたキーが既に入力した文字または記号を削除するクリアキーか、前回に入力された文字選択キーと異なる文字選択キーか、前回に入力されたキーと異なる確定キーか、前回に入力された文字選択キーと同じ文字選択キーか、前回に入力された確定キーと同じ確定キーか、カーソル位置に文字または記号がないときに入力された確定キーかが判断される。
【００３６】
ステップＳ２において、入力されたキーがクリアキーであると判断されると、ステップＳ３へ制御が移る。ステップＳ３では、カーソル位置に文字または記号がある場合、カーソル位置の文字または記号が削除され、カーソル位置に文字または記号がない場合、カーソル位置の１つ前の文字または記号が削除される。
【００３７】
ステップＳ２において、入力されたキーが、前回に入力された文字選択キーと異なる文字選択キー、または前回に入力されたキーと異なる確定キーであると判断されると、ステップＳ４へ制御が移る。ステップＳ４では、カーソル位置に「＊」が表示され、カーソルを右に移動させる。
【００３８】
ステップＳ２において、入力されたキーが前回に入力された文字選択キーと同じ文字選択キーであると判断されると、ステップＳ５へ制御が移る。ステップＳ５では、入力されたキーに基づいて対応する文字または記号が表示される。
【００３９】
ステップＳ２において、入力されたキーが前回に入力された確定キーと同じ確定キー、またはカーソル位置に文字または記号がないときに入力された確定キーであると判断されると、パスワード入力欄にパスワードの入力が終了したと判断し、このフローチャートは終了する。
【００４０】
図５を参照して、文字または記号の確定処理および文字または記号の隠蔽処理の一例を説明する。ここでは、一例として「ＭＯＳＴ」という文字または記号をリモコン１６から入力し、隠蔽する。
【００４１】
「６」キーが入力されると、パスワード入力欄に「ｍ」が表示される。「６」キーが入力されると、パスワード入力欄に「ｎ」が表示される。「６」キーが入力されると、パスワード入力欄に「ｏ」が表示される。「６」キーが入力されると、パスワード入力欄に「Ｍ」が表示される。
【００４２】
ここで、確定キーが入力され、１文字目の「Ｍ」が確定され、文字が確定されるとその文字を隠蔽するために「＊」が表示される。
【００４３】
「６」キーが入力されると、パスワード入力欄に「＊ｍ」が表示される。「６」キーが入力されると、パスワード入力欄に「＊ｎ」が表示される。「６」キーが入力されると、パスワード入力欄に「＊ｏ」が表示される。「６」キーが入力されると、パスワード入力欄に「＊Ｍ」が表示される。「６」キーが入力されると、パスワード入力欄に「＊Ｎ」が表示される。「６」キーが入力されると、パスワード入力欄に「＊Ｏ」が表示される。ここで、２文字目の「Ｏ」を確定する。
【００４４】
このとき、確定キーを入力するようにしても良いが、この一例では、続けて３文字目の「Ｓ」を入力するための「７」キーが入力され、２文字目の「Ｏ」が確定される。このように、「７」キーが入力されて文字が確定されると、２文字目の「Ｏ」は「＊」で隠蔽され、パスワード入力欄に「７」キーに割り当てられている最初の文字「ｐ」が表示されるため、パスワード入力欄に「＊＊ｐ」が表示される。
【００４５】
「７」キーが入力されると、パスワード入力欄に「＊＊ｑ」が表示される。「７」キーが入力されると、パスワード入力欄に「＊＊ｒ」が表示される。「７」キーが入力されると、パスワード入力欄に「＊＊ｓ」が表示される。「７」キーが入力されると、パスワード入力欄に「＊＊Ｐ」が表示される。「７」キーが入力されると、パスワード入力欄に「＊＊Ｑ」が表示される。「７」キーが入力されると、パスワード入力欄に「＊＊Ｒ」が表示される。「７」キーが入力されると、パスワード入力欄に「＊＊Ｓ」が表示される。ここで、３文字目の「Ｓ」を確定する。
【００４６】
このとき、確定キーを入力するようにしても良いが、この一例では、続けて４文字目の「Ｔ」を入力するための「８」キーが入力され、３文字目の「Ｓ」が確定される。このように、「８」キーが入力されて文字が確定されると、３文字目の「Ｓ」は「＊」で隠蔽され、パスワード入力欄に「８」キーに割り当てられている最初の文字「ｔ」が表示されるため、パスワード入力欄に「＊＊＊ｔ」が表示される。
【００４７】
「８」キーが入力されると、パスワード入力欄に「＊＊＊ｕ」が表示される。「８」キーが入力されると、パスワード入力欄に「＊＊＊ｖ」が表示される。「８」キーが入力されると、パスワード入力欄に「＊＊＊Ｔ」が表示される。
【００４８】
ここで、確定キーが入力され、４文字目の「Ｔ」が確定され、文字が確定されるとその文字を隠蔽するために「＊＊＊＊」が表示される。
【００４９】
このように、連続して入力する文字または記号が同じ文字選択キーに割り当てられている場合、確定キーを入力して、文字または記号を確定しなければならないが、連続して入力する文字または記号が異なる文字選択キーに割り当てられている場合、連続して入力する文字または記号が割り当てられている文字選択キーを入力することによって、確定したものとみなす。そして、確定したものとみなされた文字または記号が隠蔽され、入力された文字選択キーに割り当てられている１つ目の文字または記号が表示される。このように制御することによって、キー入力数を抑えることができる。
【００５０】
このように、リモコン１６で入力された文字または記号は、図６に示すように、赤外線発光部１８から発光される制御信号１９が、コンテンツ記録再生装置１の受光部１５で受光される。コンテンツ記録再生装置１では、受光した制御信号１９に応じて、接続されているモニタ２に隠蔽されて表示される。
【００５１】
この図６に示す文字または記号の確定処理および文字または記号の隠蔽処理を行う第１の例では、リモコン１６からコンテンツ記録再生装置１へ送信される制御信号１９は、入力されたキーの種類である。受信側となるコンテンツ記録再生装置１において、入力された文字または記号の確定処理および文字または記号の隠蔽処理が行われ、接続されているモニタ２の、例えばパスワード入力欄などで隠蔽されて表示される。
【００５２】
また、図７に文字または記号の確定処理および文字または記号の隠蔽処理を行う第２の例を示す。表示部４１が設けられたリモコン１６’では、まず表示部４１において上述した文字または記号の確定処理および文字または記号の隠蔽処理が行われる。従って、まず表示部４１において、隠蔽する全ての文字または記号の入力が終了する。そして、入力された文字または記号がリモコン１６の赤外線発光部１８から発光される制御信号１９としてコンテンツ記録再生装置１の受光部１５で受光される。コンテンツ記録再生装置１では、受光した制御信号１９に応じて、接続されているモニタ２のパスワード入力欄などで入力された文字または記号が隠蔽されて表示される。
【００５３】
さらに、図８に文字または記号の確定処理および文字または記号の隠蔽処理を行う第３の例を示す。この第３の例に示すように、１つのキーに複数の文字または記号が割り当てられている電子機器、例えば図８に示す携帯型電話機４４においても、この一実施形態を適用することができる。
【００５４】
この図８の第３の例では、上述の図７と同様に、携帯型電話機４４において、入力された文字または記号の確定処理および文字または記号の隠蔽処理が行われ、さらに隠蔽された文字または記号が直接、例えばパスワード入力欄などに入力され、表示される。
【００５５】
なお、一度隠蔽処理が施された文字または記号を図９に示すように、カーソルを移動させたときに、隠蔽表示をキャンセルさせて、見えるようにしても良い。例えば、図９Ａに示すように、入力が確定された文字または記号には、隠蔽処理が施されている。このとき、カーソル４８は、隠蔽されている文字または記号の右側にある。
【００５６】
図９Ｂに示すように、カーソル４８を１つ右側へ移動させると、一番右側の隠蔽されている文字「Ｔ」が表示される。さらに、図９Ｃに示すように、カーソル４８を１つ右側へ移動させると、右側から二番目の隠蔽されている文字「Ｓ」が表示される。さらに、図９Ｄに示すように、カーソル４８を１つ右側へ移動させると、左側から二番目の隠蔽されている文字「Ｏ」が表示される。さらに、図９Ｅに示すように、カーソル４８を１つ右側へ移動させると、一番左側の隠蔽されている文字「Ｍ」が表示される。このようにして隠蔽されている文字または記号を確認することができる。
【００５７】
この発明は、上述したこの発明の一実施形態等に限定されるものではなく、この発明の要旨を逸脱しない範囲内で様々な変形や応用が可能である。
【００５８】
この実施形態では、リモコン１６から入力された文字または記号がコンテンツ記録再生装置１に接続されたモニタ２に表示されるようにしているが、コンテンツ記録再生装置１に設けられている表示部１３に表示されるようにしても良い。
【００５９】
この実施形態では、リモコン１６からの制御信号に基づいてコンテンツ記録再生装置１に接続されているモニタ２に所定の文字または記号、並びに隠蔽表示するための「＊」が表示されるようになされているが、コンテンツ記録再生装置１に設けられた表示部１３に所定の文字または記号、並びに隠蔽表示するための「＊」が表示されるようにしても良い。
【００６０】
この実施形態では、１０キーに文字または記号が割り当てられている一例としたが、この発明は、１つのキーに複数の文字または記号が割り当てられている場合に適応することができる。従って、この発明はキーの数に限定されるものではない。
【００６１】
また、キー入力を例として説明したが、この発明はこれに限らず、例えばジョグダイアルと呼ばれる入力デバイスによって文字または記号を入力するようにしてもよい。ジョグダイアルは、回転スイッチとプッシュスイッチとが一体とされ、本発明においては回転スイッチに取り付けられた回転ダイアルを操作して文字または記号を選択し、回転ダイアルをその半径方向に押し込むことによりプッシュスイッチが押圧されて選択された文字または記号を確定することができる。
【００６２】
この実施形態では、入力した文字数と「＊」との数が同じようにしているが、全く異なる数であっても良い。例えば、入力した文字数に関係なく、１０個の「＊」が表示するようにしても良い。
【００６３】
この実施形態では、入力した文字または記号を隠蔽するために「＊」を使用しているが、「＊」に限定されるものではなく、入力した文字または記号を隠蔽するために「？」や空白を使用するようにしても良いし、どのような文字または記号を使用しても良い。また、実際に入力した文字または記号と異なる文字または記号を表示することによって、実際に入力した文字または記号を隠蔽するようにしても良い。さらにまた、実際に入力した文字または記号を含めた文字または記号を任意に選択し表示することによって、実際に入力した文字または記号を隠蔽するようにしても良い。
【００６４】
【発明の効果】
この発明に依れば、１つのキーに複数の文字または記号が割り当てられていてる電子機器であっても、入力した文字または記号を極力隠蔽することができる。さらに、１つのキーに複数の文字または記号が割り当てられていてる電子機器であっても、隠蔽する文字または記号を制限せず、全ての文字または記号を使用することができる。さらにまた、１つのキーに複数の文字または記号が割り当てられていてる電子機器であっても、秘匿性を堅持することができる。
【図面の簡単な説明】
【図１】この発明が適用されたコンテンツ記録再生装置について説明するための概略図である。
【図２】この発明が適用されたリモコンについて説明するための略線図である。
【図３】この発明が適用されたキーに割り当てられた文字または記号について説明するための図である。
【図４】この発明が適用された文字または記号の確定処理および文字または記号の隠蔽処理について説明するためのフローチャートである。
【図５】この発明が適用された文字または記号の確定処理および文字または記号の隠蔽処理について説明するための図である。
【図６】この発明で適用される文字または記号の確定処理および文字または記号の隠蔽処理を行う第１の例について説明するための略線図である。
【図７】この発明で適用される文字または記号の確定処理および文字または記号の隠蔽処理を行う第２の例について説明するための略線図である。
【図８】この発明で適用される文字または記号の確定処理および文字または記号の隠蔽処理を行う第３の例について説明するための略線図である。
【図９】この発明で適用される隠蔽された文字または記号を確認するときの一例について説明するための略線図である。
【図１０】従来用いられている文字または記号を隠蔽表示を説明するための略線図である。
【図１１】従来用いられている文字または記号を隠蔽表示を説明するための略線図である。
【符号の説明】
１・・・コンテンツ記録再生装置、２・・・モニタ、３・・・スピーカ群、４・・・ＡＭアンテナ、５・・・ＦＭアンテナ、６・・・テレビアンテナ、７・・・ＬＡＮケーブル、８・・・ネットワーク接続機器、９・・・ＵＳＢケーブル、１０・・・ＭＤ記録再生装置、１１・・・ＤＶＤ／ＣＤドライブ１１、１２・・・メモリドライブ、１３・・・表示部、１４・・・操作キー１４、１５・・・受光部１５、１６・・・リモコン、１７・・・リモコン操作キー、１８・・・赤外線発光部、１９・・・制御信号
【図１】
2004326525.tif 000003
【図２】
2004326525.tif 000004
【図３】
2004326525.tif 000005
【図４】
2004326525.tif 000006
【図５】
2004326525.tif 000007
【図６】
2004326525.tif 000008
【図７】
2004326525.tif 000009
【図８】
2004326525.tif 000010
【図９】
2004326525.tif 000011
【図１０】
2004326525.tif 000012
【図１１】
2004326525.tif 000013